(57)【特許請求の範囲】
【請求項１】
輸液バッグを収容するポータブル輸液装置であって、
前記輸液バッグは、バッグ本体と、前記バッグ本体と接続する輸液管とを有し、
前記ポータブル輸液装置は、ハウジングと、板部と、昇降機構とを含み、
前記ハウジングは、前記バッグ本体を収容する収容空間を有し、また前記ハウジングは、開孔部を含み、前記輸液管は前記開孔部に通され、
前記板部は、前記収容空間内に配置され、前記バッグ本体を支え、かつ
前記昇降機構は、前記収容空間内に配置され、移動可能に前記ハウジングに接続され、前記板部は、前記昇降機構に固定され、前記昇降機構により、押圧され移動され、
前記昇降機構は、前記板部と、前記ハウジングの前記板部と対向する底部とに接続され、
前記昇降機構は、第１支持体と、第２支持体と、シャフトと、つる巻きばねとを含み、
前記第１支持体は、互いに対向する第１側と第２側とを有し、前記第１側は前記ハウジングの前記底部に接続され、
前記第２支持体は、互いに対向する第３側と第４側とを有し、前記第３側は前記板部に接続され、
前記シャフトは、前記第１支持体の前記第２側と前記第２支持体の前記第４側とが前記シャフトに樞接され、
前記つる巻きばねは、前記シャフトに設けられ、両端のうち一端が前記第１支持体の前記第２側に接続され、他端が前記第２支持体の前記第４側に接続され、前記つる巻きばねによって前記第１支持体と前記第２支持体とが相対的に回転することにより、前記板部は、第１位置から前記ハウジングの前記底部を離れる方向へ向かって第２位置まで上げられ、
さらにロック機構を含み、
前記ロック機構は、前記板部を前記第１位置に固定するように留め、
前記板部の前記ハウジングの前記底部に面する表面には、第１嵌合部が設けられ、
前記ロック機構は、固定部材と、圧縮ばねと、活動嵌合部材と、活動ロック部材とを含み、
前記固定部材は、前記ハウジングの前記底部に固定され、側壁を有し、
前記圧縮ばねは、一端が前記側壁に当接し、
前記活動嵌合部材は、第２嵌合部を有し、前記圧縮ばねの他端は前記活動嵌合部材に当接し、前記板部が前記第２位置から前記第１位置へ移動する過程において、前記第１嵌合部が前記第２嵌合部を押圧することにより、前記活動嵌合部材が前記側壁へ近づく第１方向へ移動し、かつ前記圧縮ばねが圧縮され、前記板部が前記第１位置へ移動された時、前記第１嵌合部が前記第２嵌合部と外れた瞬間、前記圧縮ばねは、前記第２嵌合部を前記第１方向と逆の第２方向へ押圧し移動させ、前記第１嵌合部と嵌合させ、
前記活動ロック部材は、前記活動嵌合部材に当接し、ロッキング位置とリリース位置との間で移動し、前記活動ロック部材が前記ロッキング位置から前記リリース位置へ移動した時、前記活動ロック部材は前記活動嵌合部材を前記第１方向に沿って移動するように押圧し、前記第１嵌合部と前記第２嵌合部との嵌合状態を解除させることを特徴とするポータブル輸液装置。
【請求項２】
前記ハウジングの内壁面には、複数のガイドレールが設けられ、
前記板部は、前記ガイドレールに沿って移動することを特徴とする請求項１に記載のポータブル輸液装置。
【請求項３】
前記ハウジングは、底箱と、蓋とを含み、
前記底箱は、開口部を有し、
前記蓋は、前記底箱に樞接され、かつ前記開口部を覆うことを特徴とする請求項１に記載のポータブル輸液装置。
【請求項４】
前記ハウジングは、さらにロック部材を含み、
前記ロック部材は、前記底箱の側壁に配置され、前記蓋を前記底箱に固定することを特徴とする請求項３に記載のポータブル輸液装置。
【請求項５】
前記ハウジングの側壁には、窓部が設けられ、
前記窓部は、前記ハウジングの前記板部と対向する上部に隣接することを特徴とする請求項１に記載のポータブル輸液装置。
【請求項６】
さらにショルダーベルトを含み、
前記ハウジングは、複数の吊り下げ穴を有し、
前記ショルダーベルトは、前記吊り下げ穴に通されることを特徴とする請求項１に記載のポータブル輸液装置。
【発明の詳細な説明】
【技術分野】
【０００１】
本発明は、輸液装置に関し、特にポータブル輸液装置に関する。
【背景技術】
【０００２】
患者が受ける医学的治療は、経口薬や静脈注射などがある。静脈注射は、血液、薬剤又は栄養液などの液体物質を直接静脈へ投与する方法である。静脈注射の一種は、点滴バッグから液体物質を少量ずつ患者の体内に注射する方法がある。注射時は、点滴バッグを注射箇所よりも高い位置に吊し、重力を利用して液体物質を患者の体内へ投与する必要がある。
【０００３】
点滴バッグにより液体物質を患者の体内へ投与する時、点滴バッグは、通常点滴ハンガーに掛けることにより、比較的高い位置に保持される。しかし、患者が点滴を受けながら移動する必要が出てくる場合は、点滴バッグを吊り下げる点滴ハンガーを押したり持ち運んだり、又は点滴バッグを注射箇所より高い位置に保持するように点滴バッグを高く持ち上げる必要がある。従って、患者にとって不便になる場合が多い。
【発明の概要】
【発明が解決しようとする課題】
【０００４】
本発明は、使用時に持ち運びやすいという利点を有するポータブル輸液装置を提供する。
【課題を解決するための手段】
【０００５】
本発明に係るポータブル輸液装置は、輸液バッグを収容するものであり、上記輸液バッグは、バッグ本体と、上記バッグ本体と接続する輸液管とを有し、上記ポータブル輸液装置は、ハウジングと、板部と、昇降機構とを含み、上記ハウジングは、上記バッグ本体を収容する収容空間を有し、また上記ハウジングは、開孔部を含み、上記輸液管が上記開孔部に通され、上記板部は、上記収容空間内に配置され、上記バッグ本体を支え、かつ上記昇降機構は、上記収容空間内に配置され、移動可能に上記ハウジングに接続され、上記板部は、上記昇降機構に固定され、上記昇降機構により、押圧され移動されることを特徴とするポータブル輸液装置。
【０００６】
本発明の１つの実施例において、上記昇降機構は、前記板部と、前記ハウジングの前記板部と対向する底部とに接続される。
【０００７】
本発明の１つの実施例において、上記昇降機構は、第１支持体と、第２支持体と、シャフトと、つる巻きばねとを含み、上記第１支持体は、互いに対向する第１側と第２側とを有し、上記第１側は上記ハウジングの上記底部に接続され、上記第２支持体は、互いに対向する第３側と第４側とを有し、上記第３側は上記板部に接続され、上記シャフトは、上記第１支持体の上記第２側と上記第２支持体の上記第４側とが上記シャフトに樞接され、上記つる巻きばねは、上記シャフトに設けられ、両端のうち一端が上記第１支持体の上記第２側に接続され、他端が上記第２支持体の上記第４側に接続され、上記つる巻きばねによって上記第１支持体と上記第２支持体とが相対的に回転することにより、上記板部は、第１位置から上記ハウジングの上記底部を離れる方向へ向かって第２位置まで上げられる。
【０００８】
本発明の１つの実施例において、上記ポータブル輸液装置はさらにロック機構を含み、上記ロック機構は、上記板部を上記第１位置に固定するように留める。
【０００９】
本発明の１つの実施例において、上記板部の上記ハウジングの上記底部に面する表面には、第１嵌合部が設けられ、上記ロック機構は、固定部材と、圧縮ばねと、活動嵌合部材と、活動ロック部材とを含み、上記固定部材は、上記ハウジングの上記底部に固定され、側壁を有し、上記圧縮ばねは、一端が上記側壁に当接し、上記活動嵌合部材は、第２嵌合部を有し、上記圧縮ばねの他端は上記活動嵌合部材に当接し、上記板部が上記第２位置から上記第１位置へ移動する過程において、上記第１嵌合部が上記第２嵌合部を押圧することにより、上記活動嵌合部材が上記側壁へ近づく第１方向へ移動し、かつ上記圧縮ばねが圧縮され、上記板部が上記第１位置へ移動された時、上記第１嵌合部が上記第２嵌合部と外れた瞬間、上記圧縮ばねは、上記第２嵌合部を上記第１方向と逆の第２方向へ押圧し移動させ、上記第１嵌合部と嵌合させ、上記活動ロック部材は、上記活動嵌合部材に当接し、ロッキング位置とリリース位置との間で移動し、上記活動ロック部材が上記ロッキング位置から上記リリース位置へ移動した時、上記活動ロック部材は上記活動嵌合部材を上記第１方向に沿って移動するように押圧し、上記第１嵌合部と上記第２嵌合部との嵌合状態を解除させる。
【００１０】
本発明の１つの実施例において、上記ハウジングの内壁面には、複数のガイドレールが設けられ、上記板部は、上記ガイドレールに沿って移動する。
【００１１】
本発明の１つの実施例において、上記ハウジングは、底箱と、蓋とを含み、上記底箱開口部を有し、上記蓋は、上記底箱に樞接され、かつ上記開口部を覆う。
【００１２】
本発明の１つの実施例において、上記ハウジングは、さらにロック部材を含み、上記ロック部材は、上記底箱の側壁に配置され、上記蓋を上記底箱に固定する。
【００１３】
本発明の１つの実施例において、上記ハウジングの側壁には、窓部が設けられ、上記窓部は、上記ハウジングの上記板部と対向する上部に隣接する。
【００１４】
本発明の１つの実施例において、上記ポータブル輸液装置はさらにショルダーベルトを含み、上記ハウジングは、複数の吊り下げ穴を有し、上記ショルダーベルトは、前記吊り下げ穴に通される。
【発明の効果】
【００１５】
本発明に係るポータブル輸液装置は、移動可能な昇降機構により板部を押圧し移動させることにより、板部が支える輸液バッグのバッグ本体に圧力を加える。このように、輸液バッグを比較的高い位置に保持しなくても輸液バッグ内の液体物質を患者の体内へ投与することができる。従って、本発明に係るポータブル輸液装置は、使用時に持ち運びやすいという利点を有する。
【図面の簡単な説明】
【００１６】
【図１】図１は、本発明の１つの実施例に係るポータブル輸液装置及び輸液バッグを示す概略図である。
【図２】図２は、本発明の他の実施例に係るポータブル輸液装置及び輸液バッグを示す概略図である。
【図３】図３は、図２に示すポータブル輸液装置の立体分解図である。
【図４】図４は、図２に示す昇降機構の上面図である。
【図５Ａ】図５Ａは、本発明の１つの実施例に係る昇降機構が板部を押圧し移動させることを示す概略図である。
【図５Ｂ】図５Ｂは、本発明の１つの実施例に係る昇降機構が板部を押圧し移動させることを示す概略図である。
【図６】図６は、図３に示すロック機構及び板部の底面図である。
【図７】図７は、図７は、本発明の１つの実施例に係る板部がロック機構により固定される状態を示す立体概略図である。
【図８Ａ】図８Ａは、図７に示す第１嵌合部及び第２嵌合部を示す概略図である。
【図８Ｂ】図８Ｂは、本発明の１つの実施例に係る第１嵌合部と第２嵌合部とが相対的に移動する状態を示す的概略図である。
【発明を実施するための形態】
【００１７】
本発明の上記及び他の目的、特徴及び利点をより理解してもらうため、以下に実施例及び図面を参照しながら、詳細に説明する。しかし、以下の本発明に係る好適な実施例は、説明するためのものであって、本発明を制限するものではない。
【００１８】
図１は、本発明の１つの実施例に係るポータブル輸液装置及び輸液バッグを示す概略図である。図１に示すように、本実施例に係るポータブル輸液装置１０は、輸液バッグ２００を収容することができる。輸液バッグ２００は、バッグ本体２１０と、バッグ本体２１０に接続される輸液管２２０とを有する。ポータブル輸液装置１０は、ハウジング１１と、板部１２と、昇降機構１３とを含む。ハウジング１１は、バッグ本体２１０を収容する収容空間１４を有する。ハウジング１１は、開孔部１１ａを含み、輸液管２２０は、開孔部１１ａからハウジング１１の外へ通される。板部１２は、収容空間１４内に配置され、バッグ本体２１０を支えることができる。昇降機構１３は、収容空間１４内に配置され、ハウジング１１に移動可能に接続される。板部１２は、昇降機構１３に固定される。昇降機構１３は、板部１２を押圧し移動させることができる。
【００１９】
本実施例に係るポータブル輸液装置１０は、移動可能な昇降機構１３により板部１２を押圧し上方へ移動させることができる。また、輸液バッグ２００のバッグ本体２１０は、ハウジング１１のトップ板１５に当接するため、板部１２が上方に移動する時に、輸液バッグ２００のバッグ本体２１０に圧力を加えることができる。これにより、バッグ本体２１０内にある液体物質は、輸液管２２０から排出される。このように、輸液バッグ２００を注射箇所より高い位置に保持しなくても輸液バッグ２００内の液体物質を患者の体内へ投与することができる。従って、本実施例に係るポータブル輸液装置１０は、使用時に持ち運びやすいという利点を有する。
【００２０】
本発明において、ポータブル輸液装置の昇降機構や、ハウジング、板部等の部材の構造は、多数の異なる実施形態がある。以下は、他の実施例に基づいて本発明に係るポータブル輸液装置の詳細構造及び作動モードを説明する。しかし、以下は本発明に係るポータブル輸液装置の１つの実施例に過ぎず、本発明を制限するものではない。
【００２１】
図２は本発明の他の実施例に係るポータブル輸液装置及び輸液バッグを示す概略図であり、図３は、図２に示すポータブル輸液装置の立体分解図である。図２及び図３に示すように、本実施例に係るポータブル輸液装置１００は、ハウジング１１０と、板部１２０と、昇降機構１３０とを含む。ハウジング１１０は、例えば、底箱１１２と蓋１１３とを含み、底箱１１２は、開口部１１２ａを有する。本実施例において、底箱１１２の開口部１１２ａは、例えば、底箱１１２の板部１２０と対向する側に配置される。しかし、本発明は、上記構造に制限されない。例えば、他の実施例において、底箱１１２の開口部１１２ａは、底箱１１２の底部１１８と隣接する側に配置されてもよい。
【００２２】
本実施例において、蓋１１３は、底箱１１２の開口部１１２ａに樞接され、開口部１１２ａを覆うことができる。蓋１１３と底箱１１２との間に収容空間１４０が形成される。蓋１１３を開いて、輸液バッグ２００を開口部１１２ａから収容空間１４０へ入れることができる。底箱１１２は、開孔部１１１を有する。輸液バッグ２００の輸液管２２０は、開孔部１１１を通ってハウジング１１０の外へ出される。さらに、蓋１１３をした後、昇降機構１３０が板部１２０を押圧し上方へ移動させる時、蓋１１３は、板部１２０に支えられるバッグ本体２１０を塞ぎ、また板部１２０と共にバッグ本体２１０に圧力を加える。これにより、バッグ本体２１０内の液体物質は、輸液管２２０から排出される。図３に示すように、本実施例に係る蓋１１３は、例えば、互いに組み合わされる２枚のシート１１３ａ、１１３ｂを含み、シート１１３ｂは、バッグ本体２１０を塞ぎ、シート１１３ａは、シート１１３ｂを覆う。他の実施例において、蓋１１３は、単一のシート構造又は複数のシート構造であってよい。
【００２３】
また、図３に示すように、ハウジング１１０は、例えば、さらにロック部材１１４を含む。ロック部材１１４は、底箱１１２の側壁１１５に近い開口部１１２ａの一端に配置され、蓋１１３と底箱１１２とのピボット箇所Ｐと対向する。ロック部材１１４は、ロッキング位置とリリース位置との間で移動することができる。本実施例において、蓋１１３のシート１１３ａは、例えば、嵌合部１１３ｃを有する。蓋１１３をした後、ロック部材１１４は、嵌合部１１３ｃと嵌合し、蓋１１３を底箱１１２に固定することができる。ユーザは、ロック部材１１４をロッキング位置からリリース位置へ押圧した時、ロック部材１１４と嵌合部１１３ｃとの嵌合状態が解除されるため、蓋１１３を開けることができる。ロック部材１１４は、弾力性のある部件であってよく、そうすればロック部材１１４は押圧されない時に自動的にロッキング位置へ戻ることができる。さらに、本実施例に係るロック部材１１４の数量について、２つを例として挙げ、また嵌合部１１３ｃの数量は、ロック部材１１４の数量に対応するように説明したが、本発明は、ロック部材１１４の数量を制限しない。
【００２４】
本実施例において、ハウジング１１０の側壁１１５には、例えば、窓部１５０が配置される。窓部１５０は、ハウジング１１０の板部１２０と互いに対向する上部に隣接する。すなわち、窓部１５０は、底箱１１２の側壁１１５に配置され、かつ蓋１１３に隣接する。ユーザは、窓部１５０より、輸液バッグ２００内の液体物質の残量を確認することができる。これにより、輸液バッグ２００をタイムリーに交換するか、注射を停止することができる。他の実施例において、ハウジング１１０の底箱１１２は、透明材料で作っても良い。そのようにすれば、窓部１５０を配置しなくても輸液バッグ２００内の液体物質の残量をいつでも確認することができる。
【００２５】
さらに、ハウジング１１０の内壁面１１６には、例えば、複数のガイドレール１６０が設けられ、また、板部１２０は、例えば、さらに複数のガイド部材１２１を含む。ガイド部材１２１とガイドレール１６０とが組み合わされると、板部１２０は、ガイドレール１６０に沿って移動することができるため、外れにくくなる。本実施例において、ガイドレール１６０の数量は、例えば４つであり、そのうち、２つのガイドレール１６０ａ、１６０ｂは、凹レールであって、また２つのガイドレール１６０ｃ、１６０ｄは、凸レールである。また、板部１２０のガイド部材１２１の数量は、ガイドレール１６０の数量及び形状に対応する。すなわち、本実施例において、ガイド部材１２１の数量も４つであり、そのうち、ガイド部材１２１ａ、１２１ｂは、形状が凹レールであるガイドレール１６０ａ、１６０ｂに対応する凸状の部材であって、またガイド部材１２１ｃ、１２１ｄは、形状が凸レールであるガイドレール１６０ｃ、１６０ｄに対応する切り込みである。しかし、本発明は、ガイドレール１６０及びガイド部材１２１の数量及び形状を制限しない。
【００２６】
図３に示すように、本実施例に係るポータブル輸液装置１００は、例えば、さらにショルダーベルト１７０含む。また、本実施例において、ハウジング１１０は、例えば、さらに底箱１１２に接続する複数の吊り下げ部材１１７を含む。吊り下げ部材１１７の数量は、例えば、４つであり、それぞれの吊り下げ部材１１７は吊り下げ穴１１７ａを有する。しかし、本発明は、吊り下げ部材１１７及び吊り下げ穴１１７ａの数量を制限しない。他の実施例において、吊り下げ穴１１７は、ハウジング１１０の側壁１１５に配置される開孔部であってよい。本実施例において、ハウジング１１０の側壁１１５には、連結部材１１５ａが設けられる。連結部材１１５ａに吊り下げ部材１１７を連結することにより、吊り下げ部材１１７をハウジング１１０の側壁１１５に固定することができる。需要に基づいて、本発明は、吊り下げ部材１１７をハウジング１１０へ固定する方法を制限しない。ユーザは、吊り下げ部材１１７の吊り下げ穴１１７ａにショルダーベルト１７０を通すことにより、ショルダーベルト１７０でポータブル輸液装置１００を持ち上げるか、又は背負うことができる。
【００２７】
図４は、図２に示す昇降機構の上面図である。図３及び図４に示すように、本実施例において、昇降機構１３０は、板部１２０と、ハウジング１１０の板部１２０と対向する底部１１８（図３に示す）に接続される。昇降機構１３０は、第１支持体１３１と、第２支持体１３２と、シャフト１３３と、つる巻きばね１３４とを含む。本実施例において、昇降機構１３０の数量は、例えば、２つであり、両側が対称的に配置されるが、それらに制限されない。第１支持体１３１は、互いに対向する第１側１３１ａと、第２側１３１ｂとを有する。第１側１３１ａは、ハウジング１１０の底部１１８（図３に示す）に接続される。具体的に、第１支持体１３１の第１側１３１ａは、例えば、柱状の構造であり、ハウジング１１０の底部１１８は、例えば、複数の第１クリップ部材１８０が設けられる。これにより、第１支持体１３１の第１側１３１ａは第１クリップ部材１８０と嵌合し、また昇降機構１３０はハウジング１１０の底部１１８に接続される。本実施例は、例えば、２つの第１クリップ部材１８０により各第１支持体１３１の第１側１３１ａを挟むことにより、第１支持体１３１を嵌合する。しかし、本発明は、第１支持体１３１とハウジング１１０の底部１１８との接続方法、又は第１クリップ部材１８０の数量を制限しない。
【００２８】
図４に示すように、第２支持体１３２は、互いに対向する第３側１３２ａと第４側１３２ｂとを有する。第３側１３２ａは、板部１２０に接続される。第１支持体１３１の第２側１３１ｂと第２支持体１３２の第４側１３２ｂとは、シャフト１３３に樞接される。つる巻きばね１３４は、シャフト１３３に設けられ、またつる巻きばね１３４の両端のうち一端が第１支持体１３１の第２側１３１ｂに接続され、他端が第２支持体１３２の第４側１３２ｂに接続される。本実施例において、つる巻きばね１３４の数量は、例えば、２つであり、シャフト１３３の両端に配置される。
【００２９】
図５Ａ及び図５Ｂは、本発明の１つの実施例に係る昇降機構が板部を押圧し移動させることを示す概略図である。図５Ａに示すように、昇降機構１３０が収縮状態にある時、板部１２０は、図２に示すハウジング１１０の底部１１８に一番近い第１位置にある。図５Ｂに示すように、昇降機構１３０がリリースされる時、第１支持体１３１の第２側１３１ｂと第２支持体１３２の第４側１３２ｂとに接続されるつる巻きばね１３４（図４に示す）は、第１支持体１３１と第２支持体１３２とを相対的に回転させることにより、第１支持体１３１と第２支持体１３２とが徐々に開く。これにより、板部１２０は、図５Ａに示す第１位置から、ハウジング１１０の底部１１８から離れる方向へ徐々に上げられ、５Ｂに示す第２位置まで移動する。上記動作により輸液バッグ２００が押され輸液が行われる。以下に、図面を参照しながら、昇降機構１３０を収縮状態にする方法を説明する。
【００３０】
また、本実施例において、第２支持体１３２の第３側１３２ａは、例えば、柱状の構造（図４に示す）であり、板部１２０のハウジング１１０の底部１１８に面する表面１２２には、例えば、複数の第２クリップ部材１２３が設けられる。第２クリップ部材１２３は、第２支持体１３２の第３側１３２ａに挟むことができる。これにより、板部１２０と第２支持体１３２とが安定に接続される。本発明は、第２支持体１３２と板部１２０との接続方法、又は第２クリップ部材１２３の数量を制限しない。
【００３１】
図６は、図３に示すロック機構及び板部の底面図である。図６に示すように、本実施例に係るポータブル輸液装置は、例えば、さらにロック機構１９０を含む。ロック機構１９０は、板部１２０を留めることができる。ロック機構１９０により、昇降機構１３０は収縮状態にある。他の実施例において、他のロック機構により昇降機構１３０を直接に留めることにより、昇降機構１３０を収縮状態にすることもできる。
【００３２】
本実施例において、ロック機構１９０は、固定部材１９１と、圧縮ばね１９２と、活動嵌合部材１９３と、活動ロック部材１９４とを含む。固定部材１９１は、図３に示すハウジング１１０の底部１１８に固定される。固定部材１９１は、例えば、ねじ３１０によりハウジング１１０の底部１１８に固定される。また、ハウジング１１０の底部１１８には、ねじ３１０を固定するために対応するねじ穴３２０（図３に示す）が設けられる。しかし、本発明は、固定部材１９１をハウジング１１０の底部１１８に固定する方法を制限しない。
【００３３】
固定部材１９１は、側壁１９１ａを有し、また圧縮ばね１９２の一端１９２ａは、側壁１９１ａに当接する。圧縮ばね１９２の他端１９２ｂは、活動嵌合部材１９３に当接する。活動ロック部材１９４は、活動嵌合部材１９３に当接する。活動ロック部材１９４は、例えば、押し部品１９５を含み、またハウジング１１０の底部１１８は、開孔部１１９（図３に示す）を有する。押し部品１９５が開孔部１１９を通ることにより、ユーザは、押し部品１９５を押圧し活動ロック部材１９４をロッキング位置とリリース位置との間で移動させることができる。
【００３４】
本実施例において、活動ロック部材１９４の活動嵌合部材１９３に近い一端には、第１部分１９４ａと第２部分１９４ｂとがある。第１部分１９４ａは、例えば、活動嵌合部材１９３に当接する平面であり、第２部分１９４ｂは、第１部分１９４ａに対して傾斜するガイド斜面である。
【００３５】
図７は、本発明の１つの実施例に係る板部がロック機構により固定される状態を示す立体概略図である。分かりやすくするために、図７では、ロック機構の固定部材１９１を省略する。図８Ａは図７に示す第１嵌合部１２４及び第２嵌合部１９３ａを示す概略図である。図７及び図８Ａに示すように、本実施例において、板部１２０のロック機構に面する表面１２２には第１嵌合部１２４が設けられ、活動嵌合部材１９３は、第２嵌合部１９３ａを有し、第１嵌合部１２４及び第２嵌合部１９３ａは、例えば、形状が類似するが互いに対向する。図８Ａに示すように、第１嵌合部１２４は、第１当接部材１２４ａと第１傾斜部１２４ｂとを含み、第１傾斜部１２４ｂは、第１当接部材１２４ａに対して傾斜する。また、第２嵌合部１９３ａも、第２当接部材１９３ｂと第２傾斜部１９３ｃとを有し、第２傾斜部１９３ｃは、第２当接部材１９３ｂに対して傾斜する。第１嵌合部１２４と第２嵌合部１９３ａとにより、第１当接部材１２４ａと第２当接部材１９３ｂとが互いに嵌合する。このようにして、上記昇降機構１３０を収縮状態に固定する。しかし、本発明は、第１嵌合部１２４と第２嵌合部１９３ａとの嵌合形態を制限しない。
【００３６】
図８Ｂは、本発明の１つの実施例に係る第１嵌合部と第２嵌合部とが相対的に移動する状態を示す概略図である。図７及び図８Ｂに示すように、上記昇降機構１３０を上げようとするユーザは、方向Ｄ１に沿って押し部品１９５を押圧することにより、活動ロック部材１９４をロッキング位置からリリース位置へ移動させることができる。押圧する時において、活動ロック部材１９４の第２部分１９４ｂが活動嵌合部材１９３を押圧することにより、活動ロック部材１９４が活動嵌合部材１９３を直線方向Ｄ２に沿って外側（第１方向）へ移動するように押圧し、かつ圧縮ばね１９２を圧縮させ、第１嵌合部１２４と第２嵌合部１９３ａとの嵌合状態を解除させる。この時、昇降機構１３０はリリースされ、板部１２０とその第１嵌合部１２４が直線方向Ｄ３に沿って上方へ移動する。第１嵌合部１２４と第２嵌合部１９３ａが離れると、圧縮ばね１９２は活動嵌合部材１９３を元の位置へ戻すと同時に、活動嵌合部材１９３は、活動ロック部材１９４をリリース位置からロッキング位置へ戻す。
【００３７】
一方、板部１２０を図５Ｂに示す第２位置から、図５Ａに示す第１位置へ移動するように押圧する過程において、第１嵌合部１２４は、直線方向Ｄ３に沿って下方へ移動し、第１傾斜部１２４ｂが第２嵌合部１９３ａの第２傾斜部１９３ｃを下方へ押圧することにより、活動嵌合部材１９３が直線方向Ｄ２に沿って外側へ移動し、かつ圧縮ばね１９２が圧縮される。第１傾斜部１２４と第２傾斜部１９３ｃとが互いに外れる瞬間、圧縮ばね１９２は、活動嵌合部材１９３を直線方向Ｄ２に沿って内側（第２方向）へ移動させ元の位置まで押圧することにより、第２嵌合部１９３ａにより第２当接部材１９３ｂと第１嵌合部１２４の第１当接部材１２４ａとが嵌合する。また、活動ロック部材１９４は、ロッキング位置へ移動され、板部１１０が図５Ａに示す第１位置へ固定される。
【産業上の利用可能性】
【００３８】
上記をまとめると、本発明に係るポータブル輸液装置１００は、移動可能な昇降機構１３０によって板部１２０を押圧し移動させることにより、板部１２０に支えられる輸液バッグ２００に圧力を加えることができる。したがって、ユーザは、輸液バッグ２００により輸液を行う時、輸液バッグ２００を注射箇所より高い位置に保持しなくても輸液を行い輸液バッグ２００内の液体物質を患者の体内へ投与することができる。これにより、患者は、ポータブル輸液装置１００により輸液バッグ２００を持ち運ぶことができる。従って、本発明に係るポータブル輸液装置は、使用時に持ち運びやすいという利点を有する。
【００３９】
以上、好適な実施例を挙げて本発明を説明したが、本発明は前記の実施例に制限されない。本発明は、添付の特許請求の範囲の趣旨と範囲内に含まれる様々な変形や類似した配置を含むことを意図するものである。そして、特許請求の範囲は、そのような変形や類似した配置を全て網羅するために最も広い解釈が認められるべきである。
【符号の説明】
【００４０】
１０、１００：ポータブル輸液装置
１１、１１０：ハウジング
１１ａ、１１１：開孔部
１１２：底箱
１１２ａ：開口部
１１３：蓋
１１３ａ、１１３ｂ：シート
１１３ｃ：嵌合部
１１４：ロック部材
１１５：側壁
１１５ａ：連結部材
１１６：内壁面
１１７：吊り下げ部材
１１７ａ：吊り下げ穴
１１８：底部
１１９：開孔部
１２、１２０：板部
１２１、１２１ａ、１２１ｂ、１２１ｃ、１２１ｄ：ガイド部材
１２２：表面
１２３：第２クリップ部材
１２４：第１嵌合部
１２４ａ：第１当接部材
１２４ｂ：第１傾斜部
１３、１３０：昇降機構
１３１：第１支持体
１３１ａ：第１側
１３１ｂ：第２側
１３２：第２支持体
１３２ａ：第３側
１３２ｂ：第４側
１３３：シャフト
１３４：つる巻きばね
１４、１４０：収容空間
１５：トップ板
１５０：窓部
１６０、１６０ａ、１６０ｂ、１６０ｃ、１６０ｄ：ガイドレール
１７０：ショルダーベルト
１８０：第１クリップ部材
１９０：ロック機構
１９１：固定部材
１９１ａ：側壁
１９２：圧縮ばね
１９２ａ：一端
１９２ｂ：他端
１９３：活動嵌合部材
１９３ａ：第２嵌合部
１９３ｂ：第２当接部材
１９３ｃ：第２傾斜部
１９４：活動ロック部材
１９４ａ：第１部分
１９４ｂ：第２部分
１９５：押し部品
２００：輸液バッグ
２１０：バッグ本体
２２０：輸液管
３１０：ねじ
３２０：ねじ穴
Ｄ１：方向
Ｄ２、Ｄ３：直線方向
Ｐ：ピボット箇所
【図１】
0006330126.tif 000002
【図２】
0006330126.tif 000003
【図３】
0006330126.tif 000004
【図４】
0006330126.tif 000005
【図５Ａ】
0006330126.tif 000006
【図５Ｂ】
0006330126.tif 000007
【図６】
0006330126.tif 000008
【図７】
0006330126.tif 000009
【図８Ａ】
0006330126.tif 000010
【図８Ｂ】
0006330126.tif 000011